(57)【要約】【課題】お試しコピーを行った場合でのコピーに関わる作業が繁雑となるという不具合を解消する。【解決手段】ＨＤＤ１０６により、スキャナー部１０１が読み取った複数ページの原稿の画像データを記憶し、特徴抽出部１１８により、ページ毎の画像データに対しオブジェクト認識によってオブジェクトの特徴を抽出し、システム制御部１２１により、特徴抽出部１１８に対して抽出を指示し、プリンター制御部１１２に対し、特徴抽出部１１８が抽出したオブジェクトの特徴を有するページの画像データの印刷を指示する。これにより、複数ページの原稿をスキャナーに読み取らせるお試しコピーを行う際、オブジェクトの特徴の選択指示に基づいたページのみが印刷され、お試しコピーに用いた任意のページの原稿を他のページの原稿に順番通りに組み込んだり、再度全てのページの原稿をＡＤＦにセットしたりする必要が無くなる。【選択図】図１
2018074400.tif 000002
【特許請求の範囲】
【請求項１】
スキャナー部と、
画像データの印刷処理を実行するプリンター制御部と、
前記スキャナー部が読み取った複数ページの原稿の画像データを記憶する記憶デバイスと、
オブジェクトの特徴の抽出指示に基づき、前記ページ毎の画像データに対しオブジェクト認識によって前記オブジェクトの特徴を抽出する特徴抽出部と、
前記オブジェクトの特徴の選択指示に基づき、前記特徴抽出部に対して前記抽出を指示し、前記プリンター制御部に対し、前記特徴抽出部が抽出したオブジェクトの特徴を有するページの画像データの印刷を指示するシステム制御部とを備える
ことを特徴とする画像形成装置。
【請求項２】
前記オブジェクトの特徴を選択する複数の設定項目を有する選択リストを有し、
前記システム制御部は、いずれか又は複数の前記設定項目が選択されると、前記特徴抽出部に対し、選択された前記設定項目に対応するオブジェクトの特徴抽出を指示する
ことを特徴とする請求項１に記載の画像形成装置。
【請求項３】
前記設定項目は、特定の特徴を有するオブジェクト又は異なる特徴を有するオブジェクトの組み合わせを選択する内容を有することを特徴とする請求項２に記載の画像形成装置。
【請求項４】
前記システム制御部は、前記オブジェクトの特徴を有するページの画像データの印刷が終了した後、確認済みの指示に基づき、前記プリンター制御部に対し、残りの前記ページの画像データの印刷を指示することを特徴とする請求項１〜３のいずれかに記載の画像形成装置。
【請求項５】
画像データの印刷処理を実行するプリンター制御部を有する画像形成装置のコンピューターに実行させる画像形成プログラムであって、
記憶デバイスにより、スキャナー部が読み取った複数ページの原稿の画像データを記憶する工程と、
特徴抽出部により、オブジェクトの特徴の抽出指示に基づき、前記ページ毎の画像データに対しオブジェクト認識によって前記オブジェクトの特徴を抽出する工程と、
システム制御部により、前記オブジェクトの特徴の選択指示に基づき、前記特徴抽出部に対して前記抽出を指示し、前記プリンター制御部に対し、前記特徴抽出部が抽出したオブジェクトの特徴を有するページの画像データの印刷を指示する工程とを画像形成装置を制御するコンピューターに実行させる
ことを特徴とする画像形成プログラム。
【発明の詳細な説明】
【技術分野】
【０００１】
本発明は、お試しコピーに適した画像形成装置及び画像形成プログラムに関する。
【背景技術】
【０００２】
たとえば、多機能プリンター、複合機などのＭＦＰ（Ｍｕｌｔｉｆｕｎｃｔｉｏｎ  Ｐｅｒｉｐｈｅｒａｌ）である画像形成装置においては、印刷機能、コピー機能、ＦＡＸ機能、ネットワーク経由でのデータ送受信機能などを搭載している機種がある。ところで、画像形成装置により画像を形成する際、期待通りの仕上がりかどうかを確認することがある。
【０００３】
このような仕上がりの確認に関するものとし、特許文献１では、ユーザーがプリンタドライバー上で「お試し印刷」を指示して原稿中の対象ページを選択すると、オブジェクト解析部が対象ページに描画オブジェクトが含まれるか否かを解析し、描画オブジェクトがあり、かつ有効な機能がある場合、印刷設定生成部が印刷品質を向上できる可能性の高い組み合わせの推奨印刷設定を複数生成する画像処理装置を提案している。
【先行技術文献】
【特許文献】
【０００４】
【特許文献１】特開２００９−２３０３９８号公報
【発明の概要】
【発明が解決しようとする課題】
【０００５】
上述した画像処理装置では、印刷設定生成部が推奨印刷設定を複数生成するので、その中から実際に出力する推奨印刷設定を選択することにより、お試し印刷を行うことができる。また、プリンタドライバーを介してのお試し印刷は、たとえばワープロソフトで描画される画像を確認できるため、オブジェクト解析部による解析の対象となる対象ページの選択が容易である。
【０００６】
ところで、上述した画像形成装置においては、たとえば複数ページの原稿を複数部コピーするとき、コピー機能の選択と、ＡＤＦ（ａｕｔｏ  ｄｏｃｕｍｅｎｔ  ｆｅｅｄｅｒ）への原稿のセットと、コピーの部数の設定と、コピーの開始ボタンの操作とを行う。これにより、ＡＤＦにセットされた原稿が１ページずつスキャナー部によって読み取られ、読み取られた画像データが用紙に印刷される。このように、画像形成装置では、原稿のコピー時において、スキャナー部によって読み取られた画像データが順次用紙に印刷される構成であるため、読み取られた画像データの印刷が期待した仕上がりになっているかどうかの確認（以下、お試しコピーという）を、画像データが用紙に印刷される前に行うことができない。
【０００７】
この場合、複数ページの原稿うち、たとえば任意のページの原稿をＡＤＦにセットしてスキャナー部に読み取らせることによるお試しコピーが可能ではあるが、お試しコピーに用いた任意のページの原稿を他のページの原稿に順番通りに組み込んだ後、再度全てのページの原稿をＡＤＦにセットする必要があるため、お試しコピーを行った場合でのコピーに関わる作業が繁雑となるという問題がある。
【０００８】
本発明は、このような状況に鑑みてなされたものであり、上記問題点を解消することができる画像形成装置及び画像形成プログラムを提供することを目的とする。
【課題を解決するための手段】
【０００９】
本発明の画像形成装置は、スキャナー部と、画像データの印刷処理を実行するプリンター制御部と、前記スキャナー部が読み取った複数ページの原稿の画像データを記憶する記憶デバイスと、オブジェクトの特徴の抽出指示に基づき、前記ページ毎の画像データに対しオブジェクト認識によって前記オブジェクトの特徴を抽出する特徴抽出部と、前記オブジェクトの特徴の選択指示に基づき、前記特徴抽出部に対して前記抽出を指示し、前記プリンター制御部に対し、前記特徴抽出部が抽出したオブジェクトの特徴を有するページの画像データの印刷を指示するシステム制御部とを備えることを特徴とする。
また、前記オブジェクトの特徴を選択する複数の設定項目を有する選択リストを有し、前記システム制御部は、いずれか又は複数の前記設定項目が選択されると、前記特徴抽出部に対し、選択された前記設定項目に対応するオブジェクトの特徴抽出を指示することを特徴とする。
また、前記設定項目は、特定の特徴を有するオブジェクト又は異なる特徴を有するオブジェクトの組み合わせを選択する内容を有することを特徴とする。
また、前記システム制御部は、前記オブジェクトの特徴を有するページの画像データの印刷が終了した後、確認済みの指示に基づき、前記プリンター制御部に対し、残りの前記ページの画像データの印刷を指示することを特徴とする。
本発明の画像形成プログラムは、画像データの印刷処理を実行するプリンター制御部を有する画像形成装置のコンピューターに実行させる画像形成プログラムであって、記憶デバイスにより、スキャナー部が読み取った複数ページの原稿の画像データを記憶する工程と、特徴抽出部により、オブジェクトの特徴の抽出指示に基づき、前記ページ毎の画像データに対しオブジェクト認識によって前記オブジェクトの特徴を抽出する工程と、システム制御部により、前記オブジェクトの特徴の選択指示に基づき、前記特徴抽出部に対して前記抽出を指示し、前記プリンター制御部に対し、前記特徴抽出部が抽出したオブジェクトの特徴を有するページの画像データの印刷を指示する工程とを画像形成装置を制御するコンピューターに実行させることを特徴とする。
本発明の画像形成装置及び画像形成プログラムでは、記憶デバイスにより、スキャナー部が読み取った複数ページの原稿の画像データを記憶し、特徴抽出部により、オブジェクトの特徴の抽出指示に基づき、ページ毎の画像データに対しオブジェクト認識によってオブジェクトの特徴を抽出し、システム制御部により、オブジェクトの特徴の選択指示に基づき、特徴抽出部に対して抽出を指示し、プリンター制御部に対し、特徴抽出部が抽出したオブジェクトの特徴を有するページの画像データの印刷を指示する。
これにより、たとえば複数ページの原稿をＡＤＦにセットしてスキャナーに読み取らせることによるお試しコピーを行う際、オブジェクトの特徴の選択指示に基づいたページのみが印刷されるので、お試しコピーに用いた任意のページの原稿を他のページの原稿に順番通りに組み込んだり、再度全てのページの原稿をＡＤＦにセットしたりする必要が無くなる。
【発明の効果】
【００１０】
本発明の画像形成装置及び画像形成プログラムによれば、たとえば複数ページの原稿をＡＤＦにセットしてスキャナーに読み取らせることによるお試しコピーを行う際、オブジェクトの特徴の選択指示に基づいたページのみが印刷されるので、お試しコピーに用いた任意のページの原稿を他のページの原稿に順番通りに組み込んだり、再度全てのページの原稿をＡＤＦにセットしたりする必要が無くなることから、お試しコピーを行った場合でのコピーに関わる作業が繁雑となるという不具合を解消できる。
【図面の簡単な説明】
【００１１】
【図１】本発明の画像形成装置をＭＦＰに適用した場合の一実施形態を示す図である。
【図２】図１の特徴抽出部によるオブジェクトの特徴抽出の一例について説明するものであって、図２（ａ）はカラーのテキストで構成されるイメージファイルを示す図であり、図２（ｂ）はモノクロのテキストで構成されるイメージファイルを示す図であり、図２（ｃ）はカラーのテキストとモノクロのテキストとが混在している場合であって、カラーのテキストの数が多いイメージファイルを示す図であり、図２（ｄ）はカラーのテキストとモノクロのテキストとが混在している場合であって、モノクロのテキストの数が多いイメージファイルを示す図である。
【図３】図１の特徴抽出部によるオブジェクトの特徴抽出の一例について説明するものであって、図３（ａ）は画像とカラーのテキストとが混在しているイメージファイルを示す図であり、図３（ｂ）は画像とモノクロのテキストとが混在しているイメージファイルを示す図であり、図３（ｃ）は画像とカラーのテキストとモノクロのテキストとが混在している場合であって、カラーのテキストの数が多いイメージファイルを示す図であり、図３（ｄ）は画像とカラーのテキストとモノクロのテキストとが混在している場合であって、モノクロのテキストの数が多いイメージファイルを示す図である。
【図４】図１の特徴抽出部によるオブジェクトの特徴抽出の一例について説明するものであって、図４（ａ）は画像とカラーのテキストとが混在している場合であって、画像の数が多いイメージファイルを示す図であり、図４（ｂ）は画像とモノクロのテキストとが混在している場合であって、画像の数が多いイメージファイルを示す図であり、図４（ｃ）は画像とカラーのテキストとモノクロのテキストとが混在している場合であって、カラーのテキスト及び画像との数が多いイメージファイルを示す図であり、図４（ｄ）は画像とカラーのテキストとモノクロのテキストとが混在している場合であって、モノクロのテキスト及び画像の数が多いイメージファイルを示す図である。
【図５】図１のパネル部に表示されるお試しコピーの選択リストの一例について説明するための図である。
【図６】図１のＭＦＰによるお試しコピーの処理について説明するためのフローチャートである。
【発明を実施するための形態】
【００１２】
以下、本発明の画像形成装置の一実施形態を、図１〜図６を参照しながら説明する。なお、以下の説明においての画像形成装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１３】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ１０６の動作を制御する制御部１１０を備えている。
【００１４】
スキャナー部１０１は、イメージセンサ（図示省略）によって読み取られる図示しない原稿の画像をデジタルの画像データに変換し、制御部１１０に入力するデバイスである。プリンター部１０２は、制御部１１０から出力される印刷データに基づき、図示しない用紙上に画像データを印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１５】
Ｉ／Ｆ１０４は、図示しないネットワークを介し、図示しない情報提供サーバーなどに接続されている。なお、Ｉ／Ｆ１０４は、他の図示しないＭＦＰやユーザー端末などとの通信を受け持ってもよいし、図示しないコンテンツサーバーやウェブサーバーなどとの通信を受け持ってもよい。パネル部１０５は、ＭＦＰ１００の印刷機能、コピー機能、ＦＡＸ機能、ネットワーク経由でのデータ送受信機能や、各種設定のための表示を行うタッチパネルなどのデバイスである。ＨＤＤ１０６は、ＭＦＰ１００の種々の機能を提供するためのアプリケーションプログラムなどを記憶している記憶デバイスである。また、ＨＤＤ１０６は、たとえばユーザー端末側から登録された印刷ジョブ及びページ記述言語による印刷対応データなどを記憶するユーザーボックスを有している。
【００１６】
制御部１１０は、認証プログラムなどのアプリケーションプログラム、画像形成プログラム、及び制御プログラムなどを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１１６、画像処理部１１７、特徴抽出部１１８、パネル操作制御部１１９、ＨＤＤ制御部１２０、システム制御部１２１を備えている。また、これらは、データバス１２２に接続されている。
【００１７】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータなどの送受信の制御を行う。
【００１８】
ＲＡＭ１１５は、プログラムを実行するためのワークメモリーである。また、ＲＡＭ１１５は、画像処理部１１７によって画像処理された印刷データを記憶する。ＥＥＰＲＯＭ１１６には、各部の動作チェックなどを行う制御プログラムが記憶されている。また、ＥＥＰＲＯＭには、スキャナー部１０１、プリンター部１０２、ＦＡＸ部１０３、Ｉ／Ｆ（インターフェース）１０４、パネル部１０５及びＨＤＤ１０６などを動作させるためのファームウェアなどが記憶されている。
【００１９】
画像処理部１１７は、スキャナー部１０１によって読み取られた画像データに対する画像処理（ラスタライズ）を行う。また、画像処理部１１７は、ＨＤＤ１０６のユーザーボックスに登録された印刷対象データに対する画像処理（ラスタライズ）を行う。なお、システム制御部１２１は、画像処理部１１７が画像処理した印刷データを、一旦、ＲＡＭ１１５に記憶させる。
【００２０】
特徴抽出部１１８は、詳細については後述するが、システム制御部１２１の指示に従い、スキャナー部１０１が読み取ったページ毎の画像データに対し、文字及び画像とそれらの特徴の認識（以下、オブジェクト認識という）を行い、オブジェクトとしてのカラーのテキスト、モノクロのテキスト、及び画像のそれぞれを抽出する。また、特徴抽出部１１８は、パネル部１０５を介して選択された後述の図５に示す選択リスト１０５Ａの設定項目１０５ａ〜１０５ｌに該当するページをシステム制御部１２１に通知する。なお、選択リスト１０５Ａは、たとえばＨＤＤ１０６に記憶されている。なお、特徴抽出部１１８は、テキスト以外のオブジェクトを画像として抽出してもよい。
【００２１】
パネル操作制御部１１９は、パネル部１０５の表示動作を制御する。また、パネル操作制御部１１９は、パネル部１０５を介し、印刷、コピー、ＦＡＸ、ネットワーク経由でのデータ送受信などの開始を受け付ける。また、パネル操作制御部１１９は、パネル部１０５を介し、後述の図５に示す選択リスト１０５Ａの設定項目１０５ａ〜１０５ｌの選択を受け付ける。
【００２２】
システム制御部１２１は、各部の連携動作などを制御する。また、システム制御部１２１は、パネル部１０５を介してコピーや印刷などが選択されると、スキャナー制御部１１１やプリンター制御部１１２を介し、スキャナー部１０１による原稿の読み取りやプリンター部１０２による用紙への印刷を制御する。また、システム制御部１２１は、たとえば原稿のコピー時において、パネル操作制御部１１９がパネル部１０５を介し、用紙に対する読み取られた画像データの印刷が期待した仕上がりになっているかどうかの確認（以下、お試しコピーという）の指示を受け付けると、パネル操作制御部１１９を介しパネル部１０５に、後述の図５に示す選択リスト１０５Ａを表示させる。また、システム制御部１２１は、パネル操作制御部１１９がパネル部１０５を介し、選択リスト１０５Ａのいずれかの設定項目１０５ａ〜１０５ｌの選択を受け付けると、特徴抽出部１１８に対し、選択された設定項目１０５ａ〜１０５ｌに対応するオブジェクトの特徴抽出を指示する。また、システム制御部１２１は、画像処理部１１７及びプリンター制御部１１２に対し、特徴抽出部１１８が抽出したページの印刷などを指示する。
【００２３】
次に、図２〜図４を参照し、特徴抽出部１１８によるオブジェクトの特徴抽出の一例について説明する。なお、図２〜図４は、特徴抽出部１１８によるスキャナー部１０１が読み取ったページ毎の画像データのオブジェクト認識後のイメージファイルを示している。なお、図２〜図４においてハッチングを付している＊＊＊はカラーのテキストを示し、ハッチングを付していない＊＊＊はモノクロのテキストを示している。
【００２４】
まず、図２（ａ）は、カラーのテキストで構成されるイメージファイル１１８ａを示している。図２（ｂ）は、モノクロのテキストで構成されるイメージファイル１１８ｂを示している。図２（ｃ）は、カラーのテキストとモノクロのテキストとが混在している場合であって、モノクロのテキストの数よりもカラーのテキストの数が多いイメージファイル１１８ｃを示している。図２（ｄ）は、カラーのテキストとモノクロのテキストとが混在している場合であって、カラーのテキストの数よりもモノクロのテキストの数が多いイメージファイル１１８ｄを示している。
本実施形態において、「テキストの数」とは、テキストの画素数を示す。テキストの画素数をテキストの文字数に置き換えてもよい。
【００２５】
次に、図３（ａ）は、画像とカラーのテキストとが混在しているイメージファイル１１８ｅを示している。図３（ｂ）は、画像とモノクロのテキストとが混在しているイメージファイル１１８ｆを示している。図３（ｃ）は、画像とカラーのテキストとモノクロのテキストとが混在している場合であって、モノクロのテキストの数よりもカラーのテキストの数の方が多いイメージファイル１１８ｇを示している。図３（ｄ）は、画像とカラーのテキストとモノクロのテキストとが混在している場合であって、カラーのテキストの数よりもモノクロのテキストの数の方が多いイメージファイル１１８ｈを示している。
【００２６】
次に、図４（ａ）は、画像とカラーのテキストとが混在している場合であって、画像の数が多いイメージファイル１１８ｉを示している。図４（ｂ）は、画像とモノクロのテキストとが混在している場合であって、画像の数が多いイメージファイル１１８ｊを示している。図４（ｃ）は、画像とカラーのテキストとモノクロのテキストとが混在している場合であって、モノクロのテキストの数よりもカラーのテキストの数の方が多く、且つ画像の数が多いイメージファイル１１８ｋを示している。図４（ｄ）は、画像とカラーのテキストとモノクロのテキストとが混在している場合であって、カラーのテキストの数よりもモノクロのテキストが多く、且つ画像の数が多いイメージファイル１１８ｌを示している。
本実施形態において、「画像の数が多い」とは、１ページの全体（余白も含む）の画素数に占める画像の総画素数の割合が特定の閾値（例えば２５％）以上であることを示す。画像の総画素数を画像のオブジェクトの数（図４（ａ）〜（ｄ）の例では２）に置き換えてもよい。また、「画像の数が多い」とは、テキストの画素数に対する画像の画素数の比率が特定の閾値（例えば２００％）以上であることを示してもよい。
【００２７】
次に、図５を参照し、パネル操作制御部１１９がパネル部１０５に表示させるお試しコピーの選択リスト１０５Ａの一例について説明する。なお、図５の選択リスト１０５Ａは、パネル操作制御部１１９がパネル部１０５を介し、お試しコピーの指示を受けた場合に表示される。
【００２８】
すなわち、パネル部１０５に表示される選択リスト１０５Ａには、特定の特徴を有するオブジェクト又は異なる特徴を有するオブジェクトの組み合わせに対応する選択項目が含まれている。たとえば、選択リスト１０５Ａには、カラーのテキスト、モノクロのテキスト、及び画像のいずれか又はいずれか２つ以上の組み合わせに対応する設定項目１０５ａ〜１０５ｌが含まれている。設定項目１０５ａは、カラーのテキストのお試しコピーを行う場合に選択する内容を有する。設定項目１０５ａを選択すると、特徴抽出部１１８が図２（ａ）のイメージファイル１１８ａに相当するページを抽出する。設定項目１０５ｂは、モノクロのテキストのお試しコピーを行う場合に選択する内容を有する。設定項目１０５ｂを選択すると、特徴抽出部１１８が図２（ｂ）のイメージファイル１１８ｂに相当するページを抽出する。設定項目１０５ｃは、カラーのテキストとモノクロのテキストとが混在している場合であって、カラーのテキストの数が多いページのお試しコピーを行う場合に選択する内容を有する。設定項目１０５ｃを選択すると、特徴抽出部１１８が図２（ｃ）のイメージファイル１１８ｃに相当するページを抽出する。設定項目１０５ｄは、カラーのテキストとモノクロのテキストとが混在している場合であって、モノクロのテキストの数が多いページのお試しコピーを行う場合に選択する内容を有する。設定項目１０５ｄを選択すると、特徴抽出部１１８が図２（ｄ）のイメージファイル１１８ｄに相当するページを抽出する。
【００２９】
設定項目１０５ｅは、画像とカラーのテキストとが混在しているページのお試しコピーを行う場合に選択する内容を有する。設定項目１０５ｅを選択すると、特徴抽出部１１８が図３（ａ）のイメージファイル１１８ｅに相当するページを抽出する。設定項目１０５ｆは、画像とモノクロのテキストとが混在しているページのお試しコピーを行う場合に選択する内容を有する。設定項目１０５ｆを選択すると、特徴抽出部１１８が図３（ｂ）のイメージファイル１１８ｆに相当するページを抽出する。設定項目１０５ｇは、画像とカラーのテキストとモノクロのテキストとが混在している場合であって、カラーのテキストの数が多いページのお試しコピーを行う場合に選択する内容を有する。設定項目１０５ｇを選択すると、特徴抽出部１１８が図３（ｃ）のイメージファイル１１８ｇに相当するページを抽出する。設定項目１０５ｈは、画像とカラーのテキストとモノクロのテキストとが混在している場合であって、モノクロのテキストの数が多いページのお試しコピーを行う場合に選択する内容を有する。設定項目１０５ｈを選択すると、特徴抽出部１１８が図３（ｄ）のイメージファイル１１８ｈに相当するページを抽出する。
【００３０】
設定項目１０５ｉは、画像とカラーのテキストとが混在している場合であって、画像の数が多いページのお試しコピーを行う場合に選択する内容を有する。設定項目１０５ｉを選択すると、特徴抽出部１１８が図４（ａ）のイメージファイル１１８ｉに相当するページを抽出する。設定項目１０５ｊは、画像とモノクロのテキストとが混在している場合であって、画像の数が多いページのお試しコピーを行う場合に選択する内容を有する。設定項目１０５ｊを選択すると、特徴抽出部１１８が図４（ｂ）のイメージファイル１１８ｊに相当するページを抽出する。設定項目１０５ｋは、画像とカラーのテキストとモノクロのテキストとが混在している場合であって、カラーのテキスト及び画像の数が多いページのお試しコピーを行う場合に選択する内容を有する。設定項目１０５ｋを選択すると、特徴抽出部１１８が図４（ｃ）のイメージファイル１１８ｋに相当するページを抽出する。設定項目１０５ｌは、画像とカラーのテキストとモノクロのテキストとが混在している場合であって、モノクロのテキスト及び画像の数が多いページのお試しコピーを行う場合に選択する内容を有する。設定項目１０５ｌを選択すると、特徴抽出部１１８が図４（ｄ）のイメージファイル１１８ｌに相当するページを抽出する。
【００３１】
次に、図６を参照し、お試しコピーの処理について説明する。なお、以下においては、予め、ＡＤＦにセットした複数ページの原稿がスキャナー部１０１により一度に読み取られ、読み取られた画像データがたとえばＨＤＤ１０６に記憶されている場合として説明する。
【００３２】
（ステップＳ１０１）
システム制御部１２１は、お試しコピーの指示が有るかどうかを判断する。
この場合、システム制御部１２１は、パネル操作制御部１１９からのパネル部１０５を介してのお試しコピーの指示を受けたことを示す通知が無ければお試しコピーの指示が無いと判断する（ステップＳ１０１：Ｎｏ）。
これに対し、システム制御部１２１は、パネル操作制御部１１９からのパネル部１０５を介してのお試しコピーの指示を受けたことを示す通知が有ればお試しコピーの指示が有ると判断し（ステップＳ１０１：Ｙｅｓ）、ステップＳ１０２に移行する。
【００３３】
（ステップＳ１０２）
システム制御部１２１は、選択リスト１０５Ａを表示させる。
この場合、システム制御部１２１は、パネル操作制御部１１９に対し、パネル部１０５に図５に示した選択リスト１０５Ａを表示させるように指示する。このとき、システム制御部１２１は、たとえばＨＤＤ１０６に記憶されている選択リスト１０５Ａをパネル操作制御部１１９に渡す。
【００３４】
（ステップＳ１０３）
システム制御部１２１は、設定項目１０５ａ〜１０５ｌが選択されたかどうかを判断する。
この場合、システム制御部１２１は、パネル操作制御部１１９からのパネル部１０５を介してのいずれかの設定項目１０５ａ〜１０５ｌの選択を受けたことを示す通知が無ければ設定項目１０５ａ〜１０５ｌが選択されないと判断する（ステップＳ１０３：Ｎｏ）。
これに対し、システム制御部１２１は、パネル操作制御部１１９からのパネル部１０５を介してのいずれかの設定項目１０５ａ〜１０５ｌの選択を受けたことを示す通知が有れば設定項目１０５ａ〜１０５ｌが選択されたと判断し（ステップＳ１０３：Ｙｅｓ）、ステップＳ１０４に移行する。
【００３５】
（ステップＳ１０４）
システム制御部１２１は、画像の特徴抽出を指示する。
この場合、システム制御部１２１は、特徴抽出部１１８に対し、オブジェクトの特徴抽出を指示する。また、システム制御部１２１は、特徴抽出部１１８に対し、選択されたいずれかの設定項目１０５ａ〜１０５ｌを通知するとともに、ＨＤＤ１０６に記憶されているスキャナー部１０１が読み取ったページ毎の画像データを渡す。なお、システム制御部１２１は、設定項目１０５ａ〜１０５ｌが複数選択された場合、選択された複数の設定項目１０５ａ〜１０５ｌを特徴抽出部１１８に通知する。
このとき、特徴抽出部１１８は、たとえば設定項目１０５ａの通知を受け取ると、ページ毎の画像データに対し、オブジェクト認識によってカラーのテキストのみのページ（図２（ａ）のイメージファイル１１８ａに相当）を抽出し、システム制御部１２１に通知する。また、特徴抽出部１１８は、たとえば設定項目１０５ｂの通知を受け取ると、ページ毎の画像データに対し、画像認識によってモノクロのテキストのみのページ（図２（ｂ）のイメージファイル１１８ｂに相当）を抽出し、システム制御部１２１に通知する。また、特徴抽出部１１８は、たとえば設定項目１０５ｃの通知を受け取ると、ページ毎の画像データに対し、オブジェクト認識によってカラーのテキストとモノクロのテキストとが混在しているページがある場合、カラーのテキストの数が多いページ（図２（ｃ）のイメージファイル１１８ｃに相当）を抽出し、システム制御部１２１に通知する。また、特徴抽出部１１８は、たとえば設定項目１０５ｄの通知を受け取ると、ページ毎の画像データに対し、オブジェクト認識によってカラーのテキストとモノクロのテキストとが混在しているページがある場合、モノクロのテキストの数が多いページ（図２（ｄ）のイメージファイル１１８ｄに相当）を抽出し、システム制御部１２１に通知する。
また、特徴抽出部１１８は、たとえば設定項目１０５ｅの通知を受け取ると、ページ毎の画像データに対し、オブジェクト認識によって画像とカラーのテキストとが混在しているページ（図３（ａ）のイメージファイル１１８ｅに相当）を抽出し、システム制御部１２１に通知する。また、特徴抽出部１１８は、たとえば設定項目１０５ｆの通知を受け取ると、ページ毎の画像データに対し、オブジェクト認識によって画像とモノクロのテキストとが混在しているページ（図３（ｂ）のイメージファイル１１８ｆに相当）を抽出し、システム制御部１２１に通知する。また、特徴抽出部１１８は、たとえば設定項目１０５ｇの通知を受け取ると、ページ毎の画像データに対し、オブジェクト認識によって画像とカラーのテキストとモノクロのテキストとが混在している場合であって、カラーのテキストの数が多いページ（図３（ｃ）のイメージファイル１１８ｇに相当）を抽出し、システム制御部１２１に通知する。また、特徴抽出部１１８は、たとえば設定項目１０５ｈの通知を受け取ると、ページ毎の画像データに対し、オブジェクト認識によって画像とカラーのテキストとモノクロのテキストとが混在している場合であって、モノクロのテキストの数が多いページ（図３（ｄ）のイメージファイル１１８ｈに相当）を抽出し、システム制御部１２１に通知する。
また、特徴抽出部１１８は、たとえば設定項目１０５ｉの通知を受け取ると、ページ毎の画像データに対し、オブジェクト認識によって画像とカラーのテキストとが混在している場合であって、画像の数が多いページ（図４（ａ）のイメージファイル１１８ｉに相当）を抽出し、システム制御部１２１に通知する。また、特徴抽出部１１８は、たとえば設定項目１０５ｊの通知を受け取ると、ページ毎の画像データに対し、オブジェクト認識によって画像とモノクロのテキストとが混在している場合であって、画像の数が多いペー（図４（ｂ）の１１８ｊに相当）を抽出し、システム制御部１２１に通知する。また、特徴抽出部１１８は、たとえば設定項目１０５ｋの通知を受け取ると、ページ毎の画像データに対し、オブジェクト認識によって画像とカラーのテキストとモノクロのテキストとが混在している場合であって、カラーのテキスト及び画像の数が多いページ（図４（ｃ）のイメージファイル１１８ｈに相当）を抽出し、システム制御部１２１に通知する。また、特徴抽出部１１８は、たとえば設定項目１０５ｌの通知を受け取ると、ページ毎の画像データに対し、オブジェクト認識によって画像とカラーのテキストとモノクロのテキストとが混在している場合であって、モノクロのテキスト及び画像の数が多いページ（図４（ｄ）のイメージファイル１１８ｌに相当）を抽出し、システム制御部１２１に通知する。
なお、特徴抽出部１１８は、設定項目１０５ｉ〜１０５ｌの通知を受け取った場合、画像の数が最も多いページをシステム制御部１２１に通知する。
【００３６】
（ステップＳ１０５）
システム制御部１２１は、抽出したページの通知が有るかどうかを判断する。
この場合、システム制御部１２１は、特徴抽出部１１８からの通知が無ければ抽出したページの通知が無いと判断する（ステップＳ１０５：Ｎｏ）。
これに対し、システム制御部１２１は、特徴抽出部１１８からの通知が有れば抽出したページの通知が有ると判断し（ステップＳ１０５：Ｙｅｓ）、ステップＳ１０６に移行する。
【００３７】
（ステップＳ１０６）
システム制御部１２１は、印刷を指示する。
この場合、システム制御部１２１は、画像処理部１１７及びプリンター制御部１１２に対し、印刷を指示する。
ここで、たとえばシステム制御部１２１は、特徴抽出部１１８からのいずれか又は複数の設定項目１０５ａ〜１０５ｌに対応するページの通知を受け取ると、受け取ったいずれか又は複数の設定項目１０５ａ〜１０５ｌに対応するページの画像データをＨＤＤ１０６から読み取って画像処理部１１７に渡す。
このとき、画像処理部１１７が受け取った画像データに対して画像処理し印刷データを生成する。システム制御部１２１は、画像処理部１１７が生成した印刷データをＲＡＭ１１５に記憶させる。そして、プリンター制御部１１２が印刷データに基づき、プリンター部１０２を制御して用紙に対する印刷を実行する。
ここで、特に、複数の設定項目１０５ａ〜１０５ｌに対応するページの印刷が行われた場合、それぞれ特徴の異なるページに対してのお試しコピーを一度に行うことができる。
【００３８】
（ステップＳ１０７）
システム制御部１２１は、お試しコピーの印刷が完了したかどうかを判断する。
この場合、システム制御部１２１は、プリンター制御部１１２からの印刷完了の通知が無ければ、お試しコピーの印刷が完了していないと判断する（ステップＳ１０７：Ｎｏ）。
これに対し、システム制御部１２１は、プリンター制御部１１２からの印刷完了の通知が有れば、お試しコピーの印刷が完了したと判断し（ステップＳ１０７：Ｙｅｓ）、ステップＳ１０８に移行する。
【００３９】
（ステップＳ１０８）
システム制御部１２１は、確認済みの指示があるかどうかを判断する。
この場合、システム制御部１２１は、パネル操作制御部１１９からのパネル部１０５を介しての確認済みの指示を受けたことを示す通知が無ければ確認済みの指示が無いと判断する（ステップＳ１０８：Ｎｏ）。
これに対し、システム制御部１２１は、パネル操作制御部１１９からのパネル部１０５を介しての確認済みの指示を受けたことを示す通知が有れば確認済みの指示が有ると判断し（ステップＳ１０８：Ｙｅｓ）、ステップＳ１０９に移行する。
なお、システム制御部１２１は、一定時間、パネル操作制御部１１９からのパネル部１０５を介しての確認済みの指示を受けたことを示す通知が無ければ処理を終了してもよい。すなわち、お試しコピーの印刷内容が期待通りの仕上がりになっていない場合、たとえばカラーの設定のし直しなどが行われるためである。この場合、カラーの設定のし直しなどが済んだ後、再度、ステップＳ１０１から処理を実行することで、お試しコピーの印刷を実行できる。
【００４０】
（ステップＳ１０９）
システム制御部１２１は、残りのページの印刷を指示する。
この場合、システム制御部１２１は、画像処理部１１７及びプリンター制御部１１２に対し、残りのページの印刷を指示する。また、システム制御部１２１は、画像処理部１１７に対し、お試しコピーで印刷済みのページを通知するとともに、ＨＤＤ１０６から読み取った画像データを渡す。
このとき、画像処理部１１７は、受け取った画像データに対し、印刷済みのページの画像データを除いて画像処理を実行する。システム制御部１２１は、画像処理部１１７が生成した印刷データをＲＡＭ１１５に記憶させる。そして、プリンター制御部１１２が印刷データに基づき、プリンター部１０２を制御して用紙に対する残りのページの印刷を実行する。
なお、印刷の部数が複数であれば、システム制御部１２１が画像処理部１１７及びプリンター制御部１１２に対し、印刷の指示とともに、印刷の部数を指示する。また、システム制御部１２１は、印刷を指示する際、１部については残りのページの印刷を指示するが、残りの部数に対しては全ページの印刷を指示する。
このように、システム制御部１２１が残りのページの印刷を指示することで、用紙の無駄を省くことができる。
【００４１】
（ステップＳ１１０）
システム制御部１２１は、印刷が完了したかどうかを判断する。
この場合、システム制御部１２１は、プリンター制御部１１２からの印刷完了の通知が無ければ、印刷が完了していないと判断する（ステップＳ１１０：Ｎｏ）。
これに対し、システム制御部１２１は、プリンター制御部１１２からの印刷完了の通知が有れば、印刷が完了したと判断し（ステップＳ１１０：Ｙｅｓ）、処理を終了する。
【００４２】
なお、以上の説明では、それぞれの設定項目１０５ａ〜１０５ｌに対応するページの印刷が行われる場合としているが、たとえばシステム制御部１２１が特徴抽出部１１８に対し、ステップＳ１０４で全てのページの画像のみの抽出を指示し、ステップＳ１０６で画像処理部１１７に対し特徴抽出部１１８が抽出した画像を１ページに集約させる画像処理を指示してもよい。この場合は、１ページに特徴抽出部１１８が抽出した複数の画像を集約させてのお試しコピーが可能となるので、複数ページの原稿に示されている画像のコピーの仕上がり確認を一度に行える。また、特徴抽出部１１８が抽出した複数の画像をお試しコピーのために用紙に印刷させることになるが、用紙には特徴抽出部１１８が抽出した画像が集約されるため、用紙の無駄を最小限（たとえば１枚）に抑えることができる。
【００４３】
また、上述の特徴抽出部１１８は、システム制御部１２１の指示に従い、スキャナー部１０１が読み取ったページ毎の画像データに対し、オブジェクト認識を行い、オブジェクトとしてのカラーのテキスト、モノクロのテキスト、及び画像のそれぞれを抽出する場合として説明した。これに限らず、特徴抽出部１１８に対し、ＨＤＤ１０６のユーザーボックスに登録されている、たとえばユーザー端末側から登録された印刷ジョブに対しても、上記同様に、カラーのテキスト、モノクロのテキスト、及び画像のそれぞれを抽出させてもよい。
【００４４】
このように、本実施形態では、ＨＤＤ１０６（記憶デバイス）により、スキャナー部１０１が読み取った複数ページの原稿の画像データを記憶し、特徴抽出部１１８により、オブジェクトの特徴の抽出指示に基づき、ページ毎の画像データに対しオブジェクト認識によってオブジェクトの特徴を抽出し、システム制御部１２１により、オブジェクトの特徴の選択指示に基づき、特徴抽出部１１８に対して抽出を指示し、プリンター制御部１１２に対し、特徴抽出部１１８が抽出したオブジェクトの特徴を有するページの画像データの印刷を指示する。
【００４５】
これにより、たとえば複数ページの原稿をＡＤＦにセットしてスキャナーに読み取らせることによるお試しコピーを行う際、オブジェクトの特徴の選択指示に基づいたページのみが印刷されるので、お試しコピーに用いた任意のページの原稿を他のページの原稿に順番通りに組み込んだり、再度全てのページの原稿をＡＤＦにセットしたりする必要が無くなることから、お試しコピーを行った場合でのコピーに関わる作業が繁雑となるという不具合を解消できる。
【００４６】
なお、本実施形態では、画像形成装置をＭＦＰ１００に適用した場合として説明したが、この例に限らず、多機能プリンターなどの他の画像形成装置に適用してもよい。
【符号の説明】
【００４７】
１００  ＭＦＰ
１０１  スキャナー部
１０２  プリンター部
１０３  ＦＡＸ部
１０４  Ｉ／Ｆ
１０５  パネル部
１０６  ＨＤＤ
１０５Ａ  選択リスト
１０５ａ〜１０５ｌ  設定項目
１１０  制御部
１１１  スキャナー制御部
１１２  プリンター制御部
１１３  ＦＡＸ制御部
１１４  通信制御部
１１５  ＲＡＭ
１１６  ＥＥＰＲＯＭ
１１７  画像処理部
１１８  特徴抽出部
１１８ａ〜１１８ｌ  イメージファイル
１１９  パネル操作制御部
１２０  ＨＤＤ制御部
１２１  システム制御部
１２２  データバス
【図１】
2018074400.tif 000003
【図２】
2018074400.tif 000004
【図３】
2018074400.tif 000005
【図４】
2018074400.tif 000006
【図５】
2018074400.tif 000007
【図６】
2018074400.tif 000008